(57)【要約】【課題】全閉状態を保持するシャッターカーテンに対し、バールなどの用具を用いて座板の下面から強引にシャッターカーテンを持上げようとしても、持ち上がらないようにして防犯効果を確保することを課題とする。【解決手段】ガイドレール５の案内溝８に、床面１０上方の近傍に位置する前面７の屋内側面部７ｂを水平方向に切り欠いて切欠き凹部９を一体形成し、全閉状態を維持するシャッターカーテン４の座板６が持上げられた際、当該座板６の直上に位置して屈曲するインターロック部３ｂ´を切欠き凹部９に係止するように構成した。【選択図】図６
2005240533.tif 000002
【特許請求の範囲】
【請求項１】
複数のスラットをインターロック部を介して上下方向に連接してなるシャッターカーテンの両端部を、建物開口部の両側に立設した各ガイドレールの案内溝に昇降案内させて建物開口部を開閉するように構成したシャッター装置において、
上記各ガイドレールの案内溝には、床面上方の近傍に位置する前面の屋内側面部を水平方向に切り欠いた切欠き凹部が一体形成され、全閉状態を維持するシャッターカーテンの座板が持上げられた際、該切欠き凹部に対向する座板とスラットとの連結部を、上記切欠き凹部によって形成される係止部に係止してシャッターカーテンの持ち上げを防止するように構成したことを特徴とするシャッター装置におけるシャッターカーテンの持上げ防止構造。
【請求項２】
複数のスラットをインターロック部を介して上下方向に連接してなるシャッターカーテンの両端部を、建物開口部の両側に立設した各ガイドレールの案内溝に昇降案内させて建物開口部を開閉するように構成したシャッター装置において、
上記ガイドレールの案内溝は各ガイドレールの屋内側面部及び屋外側面部との間に形成され、
屋内側面部には、全閉状態のシャッターカーテンの座板とスラットとの連結部よりも高い位置に係止部を有する屋内側切欠き凹部を形成し、
全閉状態を維持するシャッターカーテンの座板が屋外側から持ち上げられた際、該座板が傾動して、該連結部が、該屋内側切欠き凹部の係止部に係止することでシャッターカーテンの持ち上げを防止するように構成したことを特徴とするシャッター装置におけるシャッターカーテンの持上げ防止構造。
【請求項３】
請求項２において、
屋外側面部には、全閉状態のシャッターカーテンの座板に対向して屋外側切欠き凹部が形成されており、
全閉状態を維持するシャッターカーテンの座板が屋外側から持ち上げられた際、該座板は、その下端側が該屋外側切欠き凹部を介して屋外側へ移動することで傾動して、該連結部が、該屋内側切欠き凹部の係止部に係止することでシャッターカーテンの持ち上げを防止するように構成したことを特徴とするシャッター装置におけるシャッターカーテンの持上げ防止構造。
【請求項４】
複数のスラットをインターロック部を介して上下方向に連接してなるシャッターカーテンの両端部を、建物開口部の両側に立設した各ガイドレールの案内溝に昇降案内させて建物開口部を開閉するように構成したシャッター装置において、
上記ガイドレールの案内溝は各ガイドレールの屋内側面部及び屋外側面部との間に形成され、
ガイドレール内部空間は、シャッターカーテン端部を受け入れる該案内溝と、該案内溝の屋内側の空間と、該案内溝の屋外側の空間とから形成され、
該ガイドレール内部空間の屋内側空間には、全閉状態のシャッターカーテンの座板とスラットとの連結部よりも高い位置に係止部を有するレール内引掛部材が設けてあり、
ガイドレールの屋内側面部には、該レール内引掛部材の係止部に対向する部位を含む屋内側切欠き凹部を形成し、
全閉状態を維持するシャッターカーテンの座板が屋外側から持ち上げられた際、該座板が傾動して、該連結部が、該レール内引掛部材の該係止部に係止することでシャッターカーテンの持ち上げを防止するように構成したことを特徴とするシャッター装置におけるシャッターカーテンの持上げ防止構造。
【請求項５】
請求項４において、
ガイドレール屋外側面部には、全閉状態のシャッターカーテンの座板に対向する部位を含む屋外側切欠き凹部が形成されており、
全閉状態を維持するシャッターカーテンの座板が屋外側から持ち上げられた際、該座板は、その下端側が該屋外側切欠き凹部を介して屋外側へ移動することで傾動して、該連結部が該係止部に係止することでシャッターカーテンの持ち上げを防止するように構成したことを特徴とするシャッター装置におけるシャッターカーテンの持上げ防止構造。
【請求項６】
上記ガイドレールの切欠き凹部には、当該切欠き凹部を塞ぐ変形可能なカバー体が配設されており、
全閉状態を維持するシャッターカーテンの座板が屋外側から持ち上げられた際、該連結部が、上記切欠き凹部のカバー体を押圧して変形させて該連結部を該係止部に係止するように構成したことを特徴とする請求項１，２，４いずれかに記載のシャッター装置におけるシャッターカーテンの持上げ防止構造。
【請求項７】
上記ガイドレールの切欠き凹部には、該切欠き凹部を塞ぐ回動可能なカバー体が配設されており、
全閉状態を維持するシャッターカーテンの座板が屋外側から持ち上げられた際、該連結部が、上記切欠き凹部のカバー体を押圧して回動させて該連結部を該係止部に係止するように構成したことを特徴とする請求項１，２，４いずれかに記載のシャッター装置におけるシャッターカーテンの持上げ防止構造。
【請求項８】
上記ガイドレールの屋内側切欠き凹部、屋外側切欠き凹部には、各切欠き凹部を塞ぐ変形可能な屋内側カバー体、屋外側カバー体がそれぞれ配設されており、
全閉状態を維持するシャッターカーテンの座板が屋外側から持ち上げられた際、該座板の下端側が該屋外側カバー体を押圧して変形させながら屋外側へ移動することで傾動して、該連結部が、上記屋内側切欠き凹部のカバー体を押圧して変形させて該連結部を該係止部に係止するように構成したことを特徴とする請求項３，５いずれかに記載のシャッター装置におけるシャッターカーテンの持上げ防止構造。
【請求項９】
上記ガイドレールの屋内側切欠き凹部、屋外側切欠き凹部には、各切欠き凹部を塞ぐ回動可能な屋内側カバー体、屋外側カバー体がそれぞれ配設されており、
全閉状態を維持するシャッターカーテンの座板が屋外側から持ち上げられた際、該座板の下端側が該屋外側カバー体を押圧して回動させながら屋外側へ移動することで傾動して、該連結部が、上記屋内側切欠き凹部のカバー体を押圧して回動させて該連結部を該係止部に係止するように構成したことを特徴とする請求項３，５いずれかに記載のシャッター装置におけるシャッターカーテンの持上げ防止構造。
【請求項１０】
上記切欠き凹部には、その近傍に位置して前記カバー体の変形あるいは回動を検出する検知部が併設されていることを特徴とする請求項６乃至９いずれかに記載のシャッター装置におけるシャッターカーテンの持上げ防止構造。
【発明の詳細な説明】
【技術分野】
【０００１】
本発明は、シャッターカーテンの持上げ防止構造に係り、詳しくは、閉鎖状態のシャッターに対し、外部から工具を利用して強引に床面と座板との隙間からシャッターカーテンを持上げようとしても、シャッターカーテンの開放を阻止し、もってシャッターの防犯効果を確保することができるシャッターの持上げ防止構造に関するものである。
【背景技術】
【０００２】
この種シャッターには、重量シャッターと軽量シャッターの区別があり、また駆動装置の有無によって電動式シャッターと手動式シャッターとに区別される。しかし、シャッターの最大使命は、閉鎖状態を保持して防犯効果を確保する点にある。
【０００３】
そこで、通常のシャッター開閉時には、シャッターカーテンの自重により、昇降動作に支障を来すことがないと共に、シャッターの閉鎖状態では、シャッターカーテンを下から持上げようとしても、持ち上がらないようにして防犯効果を確保するシャッターが提案されている。
【特許文献１】実用新案登録第２５２５９２１号
【０００４】
しかし、特許文献１のものは、シャッターカーテンを構成するカーテン片間に屈折可能なロック部材で連結し、該ロック部材の屈折箇所にロック爪を設け、閉鎖時のシャッターを持上げようとすると、このロック爪がガイドレールに設けたフック部に係止されて、シャッターの開放を阻止するようにしたものが開示されている。しかし、このものはロック爪がガイド溝に突出しているので、シャッターカーテンが強風にあおられて面圧を受けると、シャッターの開閉中にロック爪がフック部に係止して開閉不能になる不具合があったうえ、シャッターカーテンに加工を施さなければ、閉鎖時におけるシャッターの持上げを阻止して防犯効果を確保することができない、という不具合があった。
【発明の開示】
【発明が解決しようとする課題】
【０００５】
本発明は、上記のような実状に鑑み、従来の不具合を解消すべく創案されたものであって、その意図するところは、重量シャッター、軽量シャッターの区別なく、電動式シャッター、手動式シャッターの区別もなく、少なくとも複数のスラットをインターロック部を介して上下方向に連結してなるシャッターカーテンがガイドレールに沿って昇降案内されて開口部を開閉するシャッターに適用されると共に、構造が極めて簡単で故障の惧れがなく、閉鎖時におけるシャッターカーテンの持上げに対する防犯性を著しく向上させることができるシャッター装置におけるシャッターカーテンの持上げ防止構造を提供することを課題とするものである。
【課題を解決するための手段】
【０００６】
上記課題を解決するため、本発明が採用した第１の技術手段は、複数のスラットをインターロック部を介して上下方向に連接してなるシャッターカーテンの両端部を、建物開口部の両側に立設した各ガイドレールの案内溝に昇降案内させて建物開口部を開閉するように構成したシャッター装置において、上記各ガイドレールの案内溝には、床面上方の近傍に位置する前面の屋内側面部を水平方向に切り欠いた切欠き凹部が一体形成され、全閉状態を維持するシャッターカーテンの座板が持上げられた際、該切欠き凹部に対向する座板とスラットとの連結部を、上記切欠き凹部によって形成される係止部に係止してシャッターカーテンの持ち上げを防止するように構成したことを特徴とするものである。
【０００７】
本発明が採用した第２の技術手段は、複数のスラットをインターロック部を介して上下方向に連接してなるシャッターカーテンの両端部を、建物開口部の両側に立設した各ガイドレールの案内溝に昇降案内させて建物開口部を開閉するように構成したシャッター装置において、上記ガイドレールの案内溝は各ガイドレールの屋内側面部及び屋外側面部との間に形成され、屋内側面部には、全閉状態のシャッターカーテンの座板とスラットとの連結部よりも高い位置に係止部を有する屋内側切欠き凹部を形成し、全閉状態を維持するシャッターカーテンの座板が屋外側から持ち上げられた際、該座板が傾動して、該連結部が、該屋内側切欠き凹部の係止部に係止することでシャッターカーテンの持ち上げを防止するように構成したことを特徴とするものである。
【０００８】
前記第２の技術手段において、一つの好ましい態様では、屋外側面部には、全閉状態のシャッターカーテンの座板に対向して屋外側切欠き凹部が形成されており、
全閉状態を維持するシャッターカーテンの座板が屋外側から持ち上げられた際、該座板は、その下端側が該屋外側切欠き凹部を介して屋外側へ移動することで傾動して、該連結部が、該屋内側切欠き凹部の係止部に係止することでシャッターカーテンの持ち上げを防止するように構成されている。
【０００９】
本発明が採用した第３の技術手段は、複数のスラットをインターロック部を介して上下方向に連接してなるシャッターカーテンの両端部を、建物開口部の両側に立設した各ガイドレールの案内溝に昇降案内させて建物開口部を開閉するように構成したシャッター装置において、上記ガイドレールの案内溝は各ガイドレールの屋内側面部及び屋外側面部との間に形成され、ガイドレール内部空間は、シャッターカーテン端部を受け入れる該案内溝と、該案内溝の屋内側の空間と、該案内溝の屋外側の空間とから形成され、該ガイドレール内部空間の屋内側空間には、全閉状態のシャッターカーテンの座板とスラットとの連結部よりも高い位置に係止部を有するレール内引掛部材が設けてあり、ガイドレールの屋内側面部には、該レール内引掛部材の係止部に対向する部位を含む屋内側切欠き凹部を形成し、
全閉状態を維持するシャッターカーテンの座板が屋外側から持ち上げられた際、該座板が傾動して、該連結部が、該レール内引掛部材の該係止部に係止することでシャッターカーテンの持ち上げを防止するように構成されている。
【００１０】
前記第３の技術手段において、一つの好ましい態様では、ガイドレール屋外側面部には、全閉状態のシャッターカーテンの座板に対向する部位を含む屋外側切欠き凹部が形成されており、全閉状態を維持するシャッターカーテンの座板が屋外側から持ち上げられた際、該座板は、その下端側が該屋外側切欠き凹部を介して屋外側へ移動することで傾動して、該連結部が該係止部に係止することでシャッターカーテンの持ち上げを防止するように構成されている。
【００１１】
前記第３の技術手段において、該レール内引掛部材は、一つの好ましい態様では、ガイドレール（後述の実施例では、内ガイドレールと区別するために通常のガイドレールを外ガイドレールと言う）内に設けた内ガイドレールである。内ガイドレールの案内溝は該内ガイドレールの屋内側面部及び屋外側面部によって形成され、内ガイドレールの屋内側面部には、全閉状態のシャッターカーテンの座板の直上に位置するスラットのインターロック部よりも高い位置に上端縁を有する屋内側切欠き凹部が形成され、該上端縁が係止部を構成する。かつ、一つの好ましい態様では、ガイドレール屋外側面部には、全閉状態のシャッターカーテンの座板に対向する部位を含む屋外側切欠き凹部が形成されており、さらに、内ガイドレールの屋外側面部には、全閉状態のシャッターカーテンの座板に対向して屋外側切欠き凹部が形成される。また、レール内引掛部材が後述する実施例のように断面視コ字状の部材から構成される場合には、ガイドレール下方部位の壁面が二重構造となることで、ガイドレールのこじ開けに対してもより効果的である。
【００１２】
前記技術手段において、好ましくは、ガイドレールに形成された切欠き凹部には、該切欠き凹部を塞ぐカバー体が配設される。ガイドレールに屋内側切欠き凹部のみが形成されている場合には、カバー体は、該屋内側切欠き凹部を塞ぐように配設される。ガイドレールに屋内側切欠き凹部のみならず、屋外側切欠き凹部が形成されている場合には、好ましくは、屋内側カバー体、屋外側カバー体が、屋内側切欠き凹部、屋外側切欠き凹部をそれぞれ塞ぐように配設される。屋内側カバー体は、通常のシャッターカーテンの昇降時には、該座板が傾動して座板とスラットとの連結部が切欠き凹部に入り込むことを規制し、全閉状態を維持するシャッターカーテンの屋外側からの座板持上げ時には、該座板が該カバー体を押圧して変形あるいは回動させながら傾動することで、該連結部を切欠き凹部に係止させる。屋外側カバー体、屋内側カバー体の両方を設けたものでは、外ガイドレールの下方部位の案内溝は各カバー体によって形成され、通常のシャッターカーテンの昇降時には、屋内側カバー体が、該座板が傾動して座板とスラットとの連結部が屋内側切欠き凹部に入り込むことを規制し、屋外側カバー体が、該座板の下端側が屋外側切欠き凹部内に入り込むことを規制する。全閉状態を維持するシャッターカーテンの屋外側からの座板持上げ時には、該座板が該カバー体を押圧して変形させながら傾動あるいは回動することで、該連結部を切欠き凹部に係止する。
【００１３】
一つの好ましい態様では、切欠き凹部を塞ぐカバー体は、変形可能であり、全閉状態を維持するシャッターカーテンの座板が屋外側から持ち上げられた際、該連結部が、屋内側カバー体を押圧して変形させて該連結部を該係止部に係止するように構成されている。変形可能な屋内側カバー体、屋外側カバー体がそれぞれ配設されたものでは、全閉状態を維持するシャッターカーテンの座板が屋外側から持ち上げられた際、該座板の下端側が該屋外側カバー体を押圧して変形させながら屋外側へ移動することで傾動して、該連結部が、上記屋内側切欠き凹部のカバー体を押圧して変形させて該連結部を該係止部に係止するように構成される。
【００１４】
変形可能なカバー体のさらに具体的な態様としては、塑性変形可能なカバー体と弾性変形可能なカバー体とが例示される。ガイドレールの切欠き凹部に、当該切欠き凹部を塞ぐ塑性変形可能なカバー体が配設されているものでは、全閉状態を維持するシャッターカーテンの座板持上げで、該連結部（当該座板の直上に位置して切欠き凹部に対向するインターロック部）が、上記切欠き凹部のカバー体を押圧した際に、これを没入方向に塑性変形させて該連結部（上記インターロック部）を切欠き凹部に係止するものである。上記ガイドレールの切欠き凹部に、当該切欠き凹部を塞ぐ弾性変形可能なカバー体が配設されているものでは、全閉状態を維持するシャッターカーテンの座板持上げで、該連結部（当該座板の直上に位置して切欠き凹部に対向するインターロック部）が、上記切欠き凹部のカバー体を押圧した際に、これを没入方向に弾性変形させて該連結部（上記インターロック部）を切欠き凹部に係止させ、かつ座板の持上げ解除で、没入方向に弾性変形したカバー体を元の所定形状位置に復帰させるように構成される。
【００１５】
カバー体の他の好ましい態様では、切欠き凹部を塞ぐカバー体は、回動可能であり、全閉状態を維持するシャッターカーテンの座板が屋外側から持ち上げられた際、該連結部が、上記切欠き凹部のカバー体を押圧して回動させて該連結部を該係止部に係止するように構成されている。回動可能な屋内側カバー体、屋外側カバー体がそれぞれ配設されたものでは、全閉状態を維持するシャッターカーテンの座板が屋外側から持ち上げられた際、該座板の下端側が該屋外側カバー体を押圧して回動させながら屋外側へ移動することで傾動して、該連結部が、上記屋内側切欠き凹部のカバー体を押圧して変形させて該連結部を該係止部に係止するように構成されている。
【００１６】
一つの態様では、カバー体を設けた技術手段において、上記切欠き凹部には、その近傍に位置して前記カバー体の変形あるいは回動を検出する検知部が併設されている。
【００１７】
また、本明細書において、ガイドレールの「屋外側面部」、「屋内側面部」には、見込方向に延出する面部（後述する実施例における７ａ，７ｂ）のみならず、該見込面の先端からガイドレール内部に向って延出してシャッターカーテン端部の呑み込み口を形成する部位（後述する実施例における７ａ´，７ｂ´）が含まれる。また、係止部に係止する「座板とスラットとの連結部」には、連結部に位置して座板上部に形成された突起のようなものも含まれる。
【発明の効果】
【００１８】
したがって本発明によれば、シャッター装置の閉鎖状態で工具を用いて屋外側からシャッターカーテンを座板の下面から持上げた際、これに連動して屈曲する座板とスラットとの連結部が、ガイドレール側の切欠き凹部の係止部に強固に係止されて、シャッターカーテンの持上げを防止することができる。しかも従来のシャッターカーテンを構成するスラットのインターロック部を、そのまま持ち上げ防止の構成部材として利用するので、シャッターカーテンの基本構成を変更することなく、ガイドレール側における簡単かつ僅かな変更加工のみで、上述の効果を有する持上げ防止構造を安価に構築することができる。また、全閉状態を維持するシャッターカーテンが外力により開口幅方向に移動するような状態が生じても、ガイドレール内に呑み込まれた当該カーテン両端部の連結部（インターロック部）が確実にガイドレールの切欠き凹部に係止されて安定した防犯機能の保持を図ることができる。
【００１９】
ガイドレールの屋外側面部に、全閉状態のシャッターカーテンの座板に対向して屋外側切欠き凹部を形成したものでは、全閉状態を維持するシャッターカーテンの座板が持ち上げられた際、該座板は、その下端側が該屋外側切欠き凹部を介して屋外側へ移動することで座板が的確に傾動して、該座板とスラットとの連結部が、該屋内側切欠き凹部の上端縁に良好に係止することでシャッターカーテンの持ち上げを防止することができる。ガイドレールの屋外側面部において、座板の下端側が屋外側へ移動できる空間を設けることで、屋内側のみに切欠き凹部を設けるもの（傾動する座板の下端側がガイドレールの屋外側面部に当接してしまい、それ以上の傾動が規制されてしまう）に比べて、座板の下端側の屋外側への移動距離を大きく取ることができ、座板をより大きく傾動させることができ、屋内側切欠き凹部への強固な係止が行われる。特に、屋内側切欠き凹部の幅を大きく取れないような場合（例えば、軽量シャッターのガイドレール）には、屋外側切欠き凹部を設けることで、座板をより傾斜させた状態で、座板とスラットとの連結部を係止部に強固に係止させることができて有利である。
【００２０】
また、上記切欠き凹部を塞ぐカバー体を配設する構成とした場合には、シャッターカーテンの通常の開閉時に、上記カバー体が化粧カバーとして機能するので、切欠き凹部への異物、埃の混入を防止できると共に、シャッターカーテンの下端部が開口部の前後方向に多少動いたとしても、カバー体が切欠き凹部を塞いでいるので、インターロック部が切欠き凹部に不必要に引っ掛かってしまうようなことがない。
【００２１】
上記カバー体を塑性変形可能なカバー体として構成した場合は、シャッターカーテンを座板部の下面から持上げがあった際に、建物内部への侵入が結果として行われなかったとしても、その痕跡がカバー体の塑性変形として残るので、建物の管理者、あるいは関係者に防犯上の注意を喚起することができる。
【００２２】
一方、上記カバー体を弾性変形可能に構成した場合は、シャッターカーテンを座板部の下面から持上げがあったとしても、座板部が通常の着床状態に復帰すれば、同時にカバー体も元の所定形状位置に復帰するので、外観上の変化を生じさせずに通常のシャッターカーテンによる開閉を行うことができる。
【００２３】
切欠き凹部を塞ぐために回動可能なカバー体を設けたものは、変形可能なカバー体に比べ、カバー体全体が屋内側へ拡開するので、全閉状態を維持するシャッターカーテンの座板持上げで、当該座板とスラットとの連結部が、上記切欠き凹部のカバー体を押圧した際に、これを屋内側へ回動させて該連結部を切欠き凹部により確実に係止することができる。回動可能なカバー体は、好ましくは、ばね材によって、通常時は切欠き凹部を塞いた姿勢となっている。
【００２４】
更に、上記切欠き凹部の近傍に前述のカバー体の変形を検出する検知部を併設したことにより、当該検知部の検出が行われた時点で、直ちに警報音の発生、防犯管理システム等へ検出信号を送出し得て、悪意ある部外者に対して建物内部への侵入をあきらめさせることができると共に、シャッターカーテンの全閉状態で、巻取りドラムの制動規制あるいは開閉機の回転制動がなされて、シャッターカーテンの自重降下を規制するように構成したシャッター装置において、上記検知信号を受けてシャッターカーテンの自重降下の規制を解除するように制御すれば、自重降下しようとするシャッターカーテンの重量が当該カーテン最下部に掛かり、人手あるいはジャッキアップ装置によるシャッターカーテンの持上げを困難にして、防犯機能の向上をより一層図ることが可能になる。
【発明を実施するための最良の形態】
【００２５】
ガイドレールの案内溝に切欠き凹部を一体形成して、この切欠き凹部に座板の持ち上げで屈曲したインターロック部を係止させることにより、全閉状態におけるシャッターカーテンの持上げを防止できるようにした。
【実施例１】
【００２６】
本発明の実施例を添付図面に基づいて詳細に説明する。図１において、１は建物開口部に設置されたシャッター装置であって、該シャッター装置１は、開口部の上部に設置したシャッターケース２内の巻取りドラム（図示せず）に、複数のスラット３ａ、３ａ…および３ｂ、３ｂ…を上下方向に屈曲自在に連結してなるシャッターカーテン４を巻装し、建物開口部の左右両側に立設したガイドレール５、５の離間対向する前面７、７に形成した案内溝８に、シャッターカーテン４の両端部を呑み込ませて建物開口部を開閉し、全閉位置でシャッターカーテン４の最下部に設けた座板６が着床した際には、図示しない下限リミットスイッチがオフ動作に切り替わり、これにより巻取りドラムの繰り出し回転作動が停止されると共に、図示しない制動機構により当該巻取りドラムの自由回転が制動され、吊下したシャッターカーテン４がその自重降下を規制された状態で建物開口部を全閉するように構成されている。
【００２７】
ここで上記案内溝８を形成する前面７、７の屋外側Ａの面部７ａと屋内側Ｂの面部７ｂのうち、当該屋内側Ｂの面部７ｂには、図２および図３に示すように、図視でコ字状をなして水平に切り欠いた切欠き凹部９が、床面１０から上方の所定高さの間で案内溝８に連通して一体形成されており、上記切欠き凹部９には、図４（ａ）に示すように、切欠き部位でガイドレール５の内方から切欠き部位を塞ぐカバー体１１が配設されている。
【００２８】
すなわち、上記カバー体１１は弾性変形可能な金属板で形成され、同図の図視で、ガイドレール５の底片５ａ側に基端部１１ａを固定した本体部１１ｂの先端側余長部１１ｃを、案内溝８の形成面域に沿って屋内側面部７ｂ方向に折曲し、更に上記先端側余長部１１ｃの先端面１１ｄをガイドレール５の内方に折曲して構成されると共に、上記ガイドレール５の屋内側片５ｂの内面には、検知部としての検知スイッチ１２が併設されて、同図（ｂ）に示すように、カバー体１１が座板６の直上に位置するスラット３ｂのインターロック部３ｂ´に押圧された際に、当該カバー体１１の屋内側Ｂへの変形で上記先端側余長部１１ｃの先端面１１ｄを検知スイッチ１２に当接し、全閉状態を保持するシャッターカーテン４に対して座板６の持ち上げがあったことを検出するようになっている。
【００２９】
なお、上記シャッターカーテン４は、床面１０から人の背丈程度の高さ位置までは、中空部を有して二重構造に形成されるフォロー型スラットのスラット３ａ、３ａ…で構成され、それ以上のシャッターケース２までの高さおよび図示しない巻取りドラムに巻装されたスラットは、単一の金属板で形成された通常のスラット３ｂ、３ｂ…で構成されており、上記フォロー型スラットのスラット３ａ、３ａ…を採用することにより、スラットをバールや金ノコギリで切り裂いて建物内部に侵入を図るような悪意ある部外者に対して、より一層の防犯機能をシャッターカーテン４に付与するように構成されている。また、単一の金属板で形成された通常のスラット３ｂを座板６の直上に位置するスラットとして採用した理由は、上記切欠き凹部９に対して屈曲したインターロック部を係止させる上での取り合いを考慮したものである。
【００３０】
叙上の如き構成において、建物開口部の通常の閉鎖を行う場合に、図示しない閉鎖釦を操作すると、巻取りドラムに巻装されているシャッターカーテン４がシャッターケース２内から繰り出されて、その両端部が左右両側のガイドレール５、５に設けた案内溝８、８に案内されて下降を開始すると共に、上記シャッターカーテン４の最下部に位置する座板６が着床した時点で、図示しない下限リミットスイッチにより、巻取りドラムの繰り出し回転作動が停止されると同時に、当該巻取りドラムの自由回転が制動されて、建物開口部に吊下されたシャッターカーテン４は、その自重降下が規制された状態、すなわち座板６にシャッターカーテン４の重量が掛からない吊り下げ状態を維持して建物開口部が全閉されることになる。
【００３１】
このようなシャッターカーテン４による建物開口部の全閉状態で、図５に示すように、悪意ある部外者がバール１３等の工具を用いて屋外側Ａから建物内部に侵入しようとして、座板６の下面と床面１０との僅かな隙間にバール１３の先端を進入させると、座板６が図示の斜め上向き矢印のように傾動して、この傾動変化が当該座板６の直上に連結されたスラット３ｂの上動変化を誘発し、切欠き凹部９に対向するインターロック部３ｂ´を介して当該スラット３ｂが屈曲すると共に、上記座板６の屋内側Ｂに位置する端部がカバー体１１に当接し、該カバー体１１が屋内側Ｂに向けて水平矢印方向に押圧されて弾性変形し、上記カバー体１１の先端側余長部１１ｃに形成した先端面１１ｄが、ガイドレール５の屋内側面５ｂ内面に設けた検知スイッチ１２に当接した時点で、全閉状態を保持するシャッターカーテン４に対して座板６の持ち上げがあったことが当該スイッチ１２により検出され、当該検出信号が図示しない制御部に送出されると、シャッターカーテン１の自重降下規制が解除されて、それに伴って自重降下しようとするシャッターカーテン１の重量が当該カーテン１の最下部に掛かり、人手によるシャッターカーテン１の持上げが困難な状態となる。
【００３２】
そして、さらに悪意ある部外者が座板６をバール１３で持ち上げた状態で、図示しないジャッキアップ装置の昇降腕部１４を座板６の下面に進入させてジャッキアップ操作を行うと、図６に示すように、座板６は上方に一旦微動するものの、スラット３ｂのインターロック部３ｂ´が切欠き凹部９の上縁９ａに当接して係止された時点で、それ以上のシャッターカーテン４の持上げは実質的に不可能となり、悪意ある部外者は建物内部への侵入をあきらめざるを得ない状態に陥り、シャッター装置１の防犯効果を大幅に高めることができる。なお、本実施例１では、切欠き凹部９を塞ぐカバー体１１を弾性変形可能な金属板で形成した場合を示したが、これに限定されるものではなく、バネ鋼板で弾性変形可能に構成する、あるいは弾性ゴムを切欠き凹部９に適合するように適宜成形してその弾力を利用するようにカバー体を構成してもよい。
【００３３】
図１５はさらにカバー体１１の他の実施例を示す図であり、本体部１１ｂの基端部側が基端部１１ａにスプリング丁番１２１を介して回動自在に連結されている。通常時には、図１５（ａ）に示すように、スプリング丁番１２１によって、先端側余長部１１ｃが切り欠き凹部９を塞いでおり、開口部全閉時において、座板６が上方に持ち上げられて傾動すると、図１５（ｂ）に示すように、座板６の上端側のスラット３ｂのインターロック部３ｂ´が本体部１１ｂに当接してそれを回動させ、スラット３ｂのインターロック部３ｂ´が切り欠き凹部９の上縁９ａに当接して係止することで、シャッターカーテン４の上動を規制する。
【実施例２】
【００３４】
次に上記実施例１では、カバー体１１を弾性変形可能な金属板で形成し、その先端側余長部１１ｃの先端面１１ｄが、ガイドレール５の屋内側片５ｂ内面に設けた検知スイッチ１２に当接して座板６の持ち上げを検出するように構成したが、図７（ａ）に示すように、塑性変形する金属板を前記実施例１と同形状に曲成してカバー体１１´を構成し、その内方に位置して検知部１２´を配置することにより、同図（ｂ）に示すように、上記カバー体１１´が座板６の直上に位置するスラット３ｂのインターロック部３ｂ´に押圧された際に、当該カバー体１１´の屋内側Ｂへの塑性変形で検知部１２´を押圧変形させて、全閉状態を保持するシャッターカーテン４に対して座板６の持ち上げがあったことを検出するように構成してもよい。
【００３５】
実施例１，２では、複数のスラットをインターロック部を介して上下方向に連接してなるシャッターカーテンの両端部を、建物開口部の両側に立設した各ガイドレールの案内溝に昇降案内させて建物開口部を開閉するように構成したシャッター装置において、各ガイドレール５の案内溝８には、床面１０上方の近傍に位置する前面７の屋内側面部７ｂを水平方向に切り欠いた切欠き凹部９が一体形成され、全閉状態を維持するシャッターカーテン４の座板６が持上げられた際、当該座板６の直上に位置して切欠き凹部９に対向するスラット３ｂのインターロック部３´（座板６とスラット３ｂとの連結部）を、切欠き凹部９に係止してシャッターカーテン４の持ち上げを防止するように構成したシャッターカーテンの持上げ防止構造を開示した。図示のインターロック部３ｂ´（連結部）では、インターロック部３ｂ´（連結部）を構成する座板６の上端部位が切欠き凹部９の上縁９ａに係止するものであるが、インターロック部３ｂ´（連結部）を構成するスラット３ｂの下端部位が座板６の上端部位が切欠き凹部９の上縁９ａに係止するものでもよい。
【実施例３】
【００３６】
図８に基づいて実施例３を説明する。図８左図は図３に、図８右図は図６にそれぞれ対応しており、同一の構成要素には同一の参照符号が付してあり、同じ参照符号が付された構成要素については既述の説明を援用することができる。図８左図は、開口部全閉状態を保持するシャッターカーテン下端部を示す図である。ガイドレール５の前面を構成する屋外側面部７ａと屋内側面部７ｂとの間にガイドレール５の案内溝８が形成されている。
【００３７】
屋内側面部７ｂにおいて、開口部全閉状態を維持するシャッターカーテン４の座板６の上端側に位置する部位から上方に向って屋内側切欠き凹部９０が形成されており、屋内側切欠き凹部９０の水平状の上端縁９００が係止部を構成する。全閉状態において、屋内側切欠き凹部９０の下端縁９０１は、座板６とスラット３との連結部（インターロック部）３´に対向しており、屋内側切欠き凹部９０の上端縁９００は、座板６とスラット３との連結部３´に対向する位置よりも所定寸法上方に形成されている。全閉状態のシャッターカーテンの座板とスラットとの連結部と、屋内側切欠き凹部の上端縁とは、座板６を屋内側から持上げた場合、座板と床面との隙間が相当程度空かないような位置関係である。屋内側切欠き凹部９０の下端縁９０１の位置は、図示のものには限定されず、下端縁９０１は連結部３´に対向する部位の下方に位置していてもよい。すなわち、屋内側切欠き凹部９０は、全閉状態から座板６を持ち上げた際に、座板６が傾動でき、座板６とスラットとの連結部３´が屋内側切欠き凹部９０内に侵入して、連結部３´が屋内側切欠き凹部９０の上端縁９００に係止できるような空間を形成するものであれば、その下端縁９０１の位置は限定されない。
【００３８】
屋外側面部７ａにおいて、全閉状態を維持するシャッターカーテン４の座板６に対向する部位には屋外側切欠き凹部９１が形成されている。屋外側切欠き凹部９１は、屋内側切欠き凹部９０よりも下方に形成されている。図８に示すものでは、屋外側切欠き凹部９１の上端縁９１０は、座板６とスラット３との連結部３´に対向しており（屋内側切欠き凹部９０の下端縁９０１と同じ高さ）、屋外側切欠き凹部９１の下端縁９１１は床面となっており、屋外側切欠き凹部９１は、座板６の略全高寸法を有しているが、全閉状態から座板６を持ち上げた際に、座板６の下端側が侵入できる空間を形成して座板６を傾動させるものであれば、その上端縁９１０、下端縁９１１の位置は限定されない。
【００３９】
図８左図の状態において、全閉状態を維持するシャッターカーテン４の座板６が屋外側から座板６と床面との隙間に冶具等を差し込むことで持ち上げられた際には、座板６は、上方に移動しながら下端側が屋外側切欠き凹部９１を介して屋外側へ移動することで傾動し、座板６とスラット３との連結部３ｂ´が屋内側へ移動して、屋内側切欠き凹部９０に侵入し、座板６が傾動した姿勢で、座板６とスラット３との連結部が屋内側切欠き凹部９０の上端縁９００に係止することでシャッターカーテン４の持ち上げを防止する。また、屋内側切欠き凹部９０、屋外側切欠き凹部９１に第１実施例及び第２実施例で記載した変形可能なカバー体を設けてもよい。あるいは、屋内側切欠き凹部９０、屋外側切欠き凹部９１に対して後述する変形可能のカバー体、または、回動可能のカバー体を設けても良い。
【実施例４】
【００４０】
図９乃至図１２に基づいて実施例４について説明する。実施例４では、シャッター装置のガイドレールが外ガイドレール５と外ガイドレール５の内部に設けた内ガイドレール５０とから構成されており、内ガイドレール５０がレール内引掛部材を構成している。外ガイドレールは実質的に通常のガイドレールに相当し、既述のガイドレールと同じ参照符号５によって説明する。外ガイドレール５は開口部の高さ寸法に対応する長さ寸法を有しており、内ガイドレール５０は外ガイドレール５に比べて短尺であり、外ガイドレール５の下方部位に設けられる。外ガイドレール５は、底片５ａと屋内側片５ｂと屋外側片５ｃとから断面視略コ字状を有している。側片５ｂ、５ｃの開口部側の先端部位５ｂ´、５ｃ´にはガイドレール溝８を形成する屋外側面部７ａ，７ａ´、屋内側面部７ｂ、７ｂ´が一体形成されている。
【００４１】
図１１は、内ガイドレール５０を示す図であり、内ガイドレール５０は、底片５０ａ、屋内側片５０ｂ、屋外側片５０ｃから構成され、断面視略コ字形状を有している。内ガイドレール５０はさらに、屋外側片５０ｃと一体的に形成された屋外側前面７０ａ、屋内側片５０ｂと一体的に形成された屋内側前面７０ｂを有しており、屋外側前面７０ａと屋内側前面７０ｂの間がガイド溝８０としてシャッターカーテン４の幅方向端部を受け入れるようになっている。内ガイドレール５０は、底片５０ａ、室内側片５０ｂ、室外側片５０ｃをそれぞれ、外ガイドレール５の底片５ａ、室内側片５ｂ、室外側片５ｃの内壁面に当接させて、ガイド溝８０とガイド溝８とがシャッターカーテン幅方向端部を受け入れる案内溝を形成するように、外ガイドレール５に対して設けてある。内ガイドレール５０の案内溝８０において、屋内側面部７０ｂの上方部位には、屋内側切欠き凹部９０が形成されており、屋外側面部７０ａの下方部位には、屋外側切欠き凹部９１が形成されている。屋内側切欠き凹部９０の上端縁９００は水平状であり、下端縁９０１は傾斜状である。屋外側切欠き凹部９１の上端縁９１０は水平状であり、下端縁９１１は傾斜状である。屋内側切欠き凹部９０の下端縁９０１と屋外側切欠き凹部９１の上端縁９１０は対向しており、屋外側切欠き凹部９１は屋内側切欠き凹部９０より下方に位置している。
【００４２】
図９は図８に対応する図であり、左図が通常時、右側が座板持ち上げ時を示している。全閉状態において、屋内側切欠き凹部９０の傾斜状の下端縁９０１は、座板６とスラット３との連結部３´に対向しており、屋内側切欠き凹部９０の上端縁９００は、座板６とスラット３との連結部３´に対向する位置よりも所定寸法上方に形成されている。屋内側切欠き凹部９０の下端縁９０１の位置は、図示のものには限定されず、下端縁９０１は連結部３´に対向する部位の下方に位置していてもよい。すなわち、屋内側切欠き凹部９０は、全閉状態から座板６を持ち上げた際に、座板６が傾動でき、座板６とスラット３との連結部３´が屋内側切欠き凹部９０内に侵入して、連結部３´が屋内側切欠き凹部９０の上端縁９００に係止できるような空間を形成するものであれば、その下端縁９０１の位置は限定されない。
【００４３】
屋外側面部７０ａにおいて、全閉状態を維持するシャッターカーテン４の座板６に対向する部位には屋外側切欠き凹部９１が形成されている。屋外側切欠き凹部９１は、屋内側切欠き凹部９０よりも下方に形成されている。図９に示すものでは、屋外側切欠き凹部９１の上端縁９１０は、座板６とスラット３との連結部３´に対向しており（屋内側切欠き凹部９０の下端縁９０１と同じ高さ）、屋外側切欠き凹部９１の傾斜状の下端縁９１１は座板６の下端部よりも若干上方に位置している。第２切欠き部９１の上下端の位置は、全閉状態から座板６を持ち上げた際に、座板６の下端側が侵入できる空間を形成して座板６を傾動させるものであれば、その上端縁９１０、下端縁９１１の位置は限定されない。
【００４４】
外ガイドレール５の屋外側面部７ａ，７ａ´、屋内側面部７ｂ，７ｂ´は側片５ｂ、５ｃの開口部側の先端部位５ｂ´、５ｃ´と共に、内ガイドレール５０の全高を含む下方部位において切り欠かれており、屋外側切欠き凹部９１Ａ、屋内側切欠き凹部９０Ａが形成されている。屋内側切欠き凹部９０Ａは、内ガイドレール５０の屋内側切欠き凹部９０の上端縁９００を含む部位に対向しており、屋外側切欠き凹部９１Ａは、全閉状態のシャッターカーテン４の座板６を含む部位に対向している。
【００４５】
外ガイドレール５には、屋外側切欠き凹部９１Ａ、屋内側切欠き凹部９０Ａをそれぞれ塞ぐように変形可能なカバー体１１０が配設される。ガイドレール５の屋内側面部７ｂに形成した屋内側切欠き凹部９０Ａおよび内ガイドレール５０の屋内側面部７０ｂに形成した屋内側切欠き凹部９０は、屋内側カバー体１１０によって隠蔽される。ガイドレール５の屋外側面部７ａに形成した屋外側切欠き凹部９１Ａおよび内ガイドレール５０の屋外側面部７０ａに形成した屋外側切欠き凹部９１は、屋外側カバー体１１０によって隠蔽される。実施例のものでは、カバー体１１０はばね鋼から形成された弾性変形可能なカバー体であり、外ガイドレール５の前面７ａ，７ｂに対応する前片１１０ａ、外ガイドレール５の側片に対応する側片１１０ｂ及び案内溝８に臨む折曲片１１０ｃを有する。図１０下図に示すように、通常時は、カバー体１１０の前片１１０ａ、折曲片１１０ｃは内ガイドレール５０の屋内側面部７０ｂ、屋外側面部７０ａよりも案内溝側に延出している。前片１１０ａの上方部位及び下方部位には螺子孔１１０ｄが形成されており、図示しない螺子を用いて外ガイドレール５の前面７ａ，７ｂに取り付けられる。
図９において、カバー体１１０の上端１１０Ａは、Ｂ−Ｂ線の上に位置しており、カバー体１１０の下端は床面１０近傍まで延出している。カバー体１１は、高さ方向の略中間部位が、座板６とスラット３との連結部３´が係止する係止部に位置するようにして上下端部においてガイドレール５に取り付けられる（カバー体１１０において、螺子を用いてカバー体１１０をガイドレール５に止着した部位でカバー体１１０の変形は拘束されており、この止着部位を拘束部位という。尚、実施例では止着手段として螺子を用いるが、止着手段は他の手段、例えば、カシメであってもよい。）。こうすることで、座板６とスラット３との連結部３´が係止する係止部をカバー体１１０の拘束部位からより離隔した部位に位置させることができ、カバー体１１０において、連結部３´が当接して押圧するであろう部位の変形量をより大きくすることができる。図９の実施例に基づいて説明すると、カバー体１１０は、その上下端部を介してガイドレール５に取り付けられた際に、その高さ方向の略中間部位が、座板６とスラット３との連結部３´が係止する係止部を構成する屋内側切欠き凹部９０の上端縁９００に対応し、かつ上下端部から上端縁９００までの十分な距離が取れるような高さ寸法を有している。そして、カバー体１１０は、高さ方向の略中間部位が、座板６とスラット３との連結部３´が係止する屋内側切欠き凹部９０の上端縁９００に位置するようにして、上下端部において図示しない螺子を用いてガイドレール５の屋外側面部７ａ、屋内側面部７ｂにそれぞれ取り付けられる。こうすることで、係止部を構成する屋内側切欠き凹部９０の上端縁９００からカバー体１１０の拘束部位（上下端部）までの寸法を大きく取ることができる。
【００４６】
カバー体１１０は、シャッターカーテン４の通常の上昇時に、シャッターカーテン４の座板６がカバー体１１０を押圧して変形させながら屋内側切欠き凹部９０、屋外側切欠き凹部９１を介して傾動し、座板６とスラット３の連結部３´が上端縁９００に係止してしまうことを防止するガイド体の役割を有する。カバー体１１０はシャッターカーテン４の通常の上下動時に座板６やスラット３（連結部を構成するインターロック部を含む）が接触する程度の力で変形することがなく、開口部全閉時において、屋外側から冶具によって屋外側から座板を強制的に持上げた時に、より強い力が作用することで変形するような強度を有している。図１０のC-C断面図から明らかなように、カバー体１１０の前片１１０ａ及び折曲片１１０ｃは、屋外側切欠き凹部９１Ａ、屋内側切欠き凹部９０Ａ、内ガイドレール５０の前面７０ａ，７０ｂを塞ぐように外ガイドレール５に取り付けられている。尚、ガイドレール５の案内溝８の呑み込み口に位置して長尺状の樹脂製の消音材１５が取り付けてある。
【００４７】
通常のシャッターカーテン４の昇降時には、シャッターカーテン４の下端部位（スラット３及び座板６）はカバー体１１０によって案内され、座板６が屋内側切欠き凹部９０及び／あるいは屋外側切欠き凹部９１に侵入して傾動し、座板６とスラット３との連結部３´が屋内側切欠き凹部９０の上端縁９００に係止するようなことがない。開口部全閉時において、屋外側から冶具等を用いて座板６を持ち上げようとすると、座板６は、座板６とスラット３との連結部が屋内側カバー体１１０を屋内側に拡開するように変形させると同時に、座板６の下端側が屋外側カバー体１１０を屋外側に拡開するように変形させて座板６の下端側が内ガイドレール５０の屋外側切欠き凹部９１を介して屋外側へ移動することで傾動し、座板６とスラット３との連結部３´が屋内側面部７０ｂに形成した屋内側切欠き凹部９０に侵入し、屋内側切欠き凹部９０の上端縁９００に係止する。
【００４８】
実施例４では、開口部全閉時における屋外側からの座板の持上げの際に、座板６とスラット３との連結部３´が係止する係止部を、ガイドレール５の内部空間に設けるものの実施例として、断面視コ字状の内ガイドレール５０から構成されたレール内引掛部材について説明した。レール内引掛部材の構成は、内ガイドレールを用いたものに限定されるものではない。シャッターカーテン端部を受け入れる案内溝８と、案内溝８の屋内側の空間８Ａと、案内溝８の屋外側の空間８Ｂとから形成されるガイドレール内部空間において、該ガイドレール内部空間の屋内側空間８Ａに、全閉状態のシャッターカーテンの座板６とスラット３との連結部よりも高い位置に係止部を有するレール内引掛部材であって、座板が屋外側から持上げられて傾動し、座板とスラットとの連結部が屋内側に移動した時に、該連結部を係止できる係止部を提供できるものであればよく、他の係止部を有する他のレール内引掛部材でもよい。他の構成のレール内引掛部材については、後述する。
【実施例５】
【００４９】
図１３、図１４は、実施例５を示す図であり、実施例４に示す屋内側面部７ｂに設けた変形可能なカバー体１１０に代えて、回動可能なカバー体１２０を設けたものであり、カバー体以外の構成については、実施例４に記載された内容を援用することができる。カバー体１２０は、前片１２０ａ、側片１２０ｂ、及び案内溝に臨む折曲片１２０ｃを有している。カバー体１２０は、側片１２０ｂの基端側を外ガイドレール５の室内側片５ｂに対してスプリング丁番１２１を介して回動可能に取り付けられている。図１３下図に示すように、通常時は、カバー体１２０の前片１２０ａ、折曲片１２０ｃは内ガイドレール５０の屋内側面部７０ｂよりも案内溝側に延出している。
【００５０】
外ガイドレール５は、内ガイドレール５０の屋内側面部７０ｂ、屋外側面部７０ａにそれぞれ対向する屋内側面部７ｂ、７ｂ´、屋外側面部７ａ、７ａ´を有し、外ガイドレール５の屋内側面部７ｂ、７ｂ´の、内ガイドレール５０の屋内側面部７０ｂに形成された屋内側切欠き凹部９０に対向する部位を含んで、屋内側切欠き凹部９０Ａが形成され、屋内側切欠き凹部９０Ａを塞ぐように、回動可能なカバー体１２０が配設される。
【００５１】
カバー体１２０は、通常のシャッターカーテンの昇降時には、スプリング丁番１２１のバネ力で、座板６が傾動して座板６とスラット３の連結部３´が屋内側切欠き凹部９０内に入り込むことを規制するような姿勢を維持している（図１３下図）。カバー体１２０は、屋外側から屋内側へ向う力が作用するとスプリング丁番１２１のバネ力に抗して拡開するように屋内側へ回動する（図１３上図）。
【００５２】
図１４は、カバー体１２０の構成をさらに詳細に示す図である。外ガイドレール５は、底片５ａを構成する片と屋内側片５ｂを構成する片とを有し、屋内側片５ｂを構成する片の先端にスプリング丁番１２１を介してカバー体１２０が回動自在に取り付けられている。カバー体１２０の高さ寸法は、少なくとも、内ガイドレール５０の屋内側面部７０ｂに形成された屋内側切欠き凹部９０に対応する部位を含んでいればよい。尚、図１３、１４では屋内側面部７ｂに設けたカバー体１２０を示したが、屋外側側面部７ａ、７ａ´にも屋外側切欠き凹部を形成したような場合には、カバー体１２０を該屋外側切欠き凹部に対応するようにして、ガイドレールに設けても良い。また、回動可能なカバー体を、前述の変形可能なカバー体に代えて設けても良い。
【実施例６】
【００５３】
図１６は、実施例６を示す図であり、図９乃至図１２に示す実施例４と類似するものである。実施例６と実施例４の異なる点は、実施例６では、屋外側に位置する切欠き凹部を有しない点、屋外側に位置する切欠き凹部を塞ぐカバー体を有しない点である。図１６において、実施例６と実施例４とで共通部材には共通の参照符号が付してあり、これらの点を除き、実施例４に係る記述の説明は、原則として、実施例６の説明として援用することができる。実施例６では、シャッター装置のガイドレールが外ガイドレール５と外ガイドレールの内部に設けた内ガイドレール５０とから構成されており、内ガイドレール５０がレール内引掛部材を構成している。
【００５４】
外ガイドレールは実質的に通常のガイドレールに相当する。外ガイドレール５は開口部の高さ寸法に対応する長さ寸法を有しており、内ガイドレール５０は外ガイドレール５に比べて短尺であり、外ガイドレール５の下方部位に設けられる。外ガイドレール５は、底片と室内側片と室外側片とから断面視略コ字状を有している。側片の開口部側の先端部位にはガイドレール溝を形成する室外側面部７ａ、室内側面部７ｂが一体形成されている。内ガイドレール５０は、底片、屋内側片、屋外側片から構成され、断面視略コ字形状を有している。内ガイドレールはさらに、屋外側片と一体的に形成された屋外側前面７０ａ、屋内側片と一体的に形成された屋内側前面７０ｂを有しており、屋外側前面７０ａと屋内側前面７０ｂの間が案内溝としてシャッターカーテン４の幅方向端部を受け入れるようになっている。内ガイドレールの案内溝において、屋内側面部７０ｂの上方部位には、切欠き凹部９０が形成されている。切欠き凹部９０の上端縁９００は水平状であり、下端縁９０１は傾斜状である。図１６は図９に対応する図であり、左図が通常時、右側が座板持ち上げ時を示している。全閉状態において、切欠き凹部９０の傾斜状の下端縁９０１は、座板６とスラット３との連結部３´に対向しており、切欠き凹部９０の上端縁９００は、座板６とスラット３の連結部３´に対向する位置よりも所定寸法上方に形成されている。
【００５５】
外ガイドレール５の屋内側面部７ｂ、７ｂ´は屋内側片５ｂの開口部側の先端部位５ｂ´と共に、内ガイドレール５０の全高を含む下方部位において切り欠かくことで屋内側切欠き凹部９０Ａが形成されており、屋内側切欠き凹部９０Ａ、内ガイドレールの屋内側面部７０ｂに形成した切欠き凹部９０を塞ぐように変形可能なカバー体１１０が設けてある。カバー体１１０は、シャッターカーテンの通常の上昇時に、シャッターカーテンの座板６が傾動し、座板６とスラット３との連結部３´が上端縁９００に係止してしまうことを防止するガイド体の役割を有すると共に、内ガイドレール５０を隠蔽する役割を有する。通常のシャッターカーテンの昇降時には、シャッターカーテン４はカバー体１１０によって案内され、座板６が切欠き凹部９０に侵入して傾動し、座板６とスラット３の連結部３´が屋内側切欠き凹部９０の上端縁９００に係止するようなことがない。開口部全閉時において、座板６が持ち上げられると、座板６はカバー体１１０を屋内側に拡開するように変形させながら傾動して、座板６とスラット３の連結部３´が屋内側面部７０ｂに形成した切欠き凹部９０に侵入し、切欠き凹部９０の上端縁９００に係止する。図１７は図１６におけるＣ−Ｃ断面図、Ｂ−Ｂ断面図である。Ａ−Ａ断面図については、図１０に示すＡ−Ａ断面図と同様である。
【実施例７】
【００５６】
図１８、図１９は、さらに、レール内引掛部材の他の実施例を示す図である。図１９に示すように、引掛部材５０´は、図１１に示す内ガイドレール５０と類似の形状を有しており、同様の構成要素には同じ参照符号が付してある。引掛部材５０´は外ガイドレール５に比べて短尺であり、外ガイドレール５の下方部位に設けられる。外ガイドレール５は、底片と室内側片と室外側片とから断面視略コ字状を有している。側片の開口部側の先端部位にはガイドレール溝を形成する室外側面部７ａ、室内側面部７ｂが一体形成されている。引掛部材５０´は、底片５０ａ、屋内側片５０ｂ、屋外側片５０ｃから構成され、断面視略コ字形状を有している。引掛部材５０´はさらに、屋外側片５０ｃと一体的に形成された屋外側前面７０ａ、屋内側片５０ｂと一体的に形成された屋内側前面を切り欠いて形成した複数の係止片７０ｂ´とを有しており、屋外側面部７０ａと複数の係止突片７０ｂ´の間が案内溝８０としてシャッターカーテン４の幅方向端部を受け入れるようになっている。
【００５７】
上下方向に連設された各係止突片７０ｂ´間に、屋内側切欠き凹部９０が形成される。係止突片７０ｂ´は、水平縁９００と、下縁９００の先端から上方に延出する垂直縁９０２と、垂直縁９０２の上端から屋内側片５０ｂ側へ傾斜状に延出する傾斜縁９０１とを有する。上下隣位の係止突片７０ｂ´において、上側の係止突片７０ｂ´の下縁９００と下側の係止突片７０ｂ´の傾斜縁９０１との間の空間が屋内側切欠き凹部９０を形成し、上側の係止突片７０ｂ´の下縁が係止部を構成する切欠き凹部９０の上端縁９００を形成する。
【００５８】
図１８は図９に対応する図であり、左図が通常時、右側が座板持ち上げ時を示している。全閉状態において、下方の切欠き凹部９０の傾斜状の下端縁９０１は、座板６とスラット３との連結部３´より若干上方に位置しており、切欠き凹部９０の上端縁９００は、座板６とスラット３の連結部３´に対向する位置よりも所定寸法上方に形成されている。外ガイドレール５の屋内側面部７ｂは屋内側片５ｂの開口部側の先端部位と共に、引掛部材５０´の全高を含む下方部位において切り欠かくことで屋内側切欠き凹部９０Ａが形成されており、屋内側切欠き凹部９０Ａ、及び引掛部材５０´に形成した複数の切欠き凹部９０を塞ぐように変形可能なカバー体１１０が設けてある。カバー体１１０は、シャッターカーテンの通常の上昇時に、シャッターカーテンの座板６が傾動し、座板６とスラット３との連結部３´が上端縁９００に係止してしまうことを防止するガイド体の役割を有すると共に、引掛部材５０´を隠蔽する役割を有する。通常のシャッターカーテンの昇降時には、シャッターカーテン４はカバー体１１０によって案内され、座板６が切欠き凹部９０に侵入して傾動し、座板６とスラット３の連結部３´が屋内側切欠き凹部９０の上端縁９００に係止するようなことがない。開口部全閉時において、座板６が持ち上げられると、座板６はカバー体１１０を屋内側に拡開するように変形させながら傾動して、座板６とスラット３の連結部３´が引掛部材５０´に形成した切欠き凹部９０に侵入し、切欠き凹部９０の上端縁９００に係止する。図１８では、最下位の切欠き凹部９０に座板６とスラット３との連結部３´が係止した状態を示したが、連結部３´が最下位の切欠き凹部９０に係止しなかった場合であっても、さらに上方側のいずれかの切欠き凹部９０に連結部３´を係止させることで、より確実に座板６の持上げを防止することができる。図１８における、Ａ−Ａ断面図、Ｂ−Ｂ断面Ｃ−Ｃ断面図は、図１６に示す各断面図と同様である。図１８、図１９では、屋外側切欠き凹部を設けないものを示したが、例えば図９に示すもののように、屋外側切欠き凹部を設けてもよい。
【図面の簡単な説明】
【００５９】
【図１】スラットで構成されたシャッターカーテンの閉鎖状態を示す全体正面図
【図２】シャッターカーテンの一部省略縦断面図
【図３】全閉状態を保持するシャッターカーテン下端部を要部拡大縦断面図
【図４】（ａ）は通常の全閉状態におけるシャッターカーテンの要部横断面図（ｂ）は座板の持ち上げにより屈曲したインターロック部により弾性変形したカバー体を示す要部横断面図
【図５】スラットで構成されたシャッターカーテンに対して座板の持ち上げがあった場合の閉鎖状態を示す一部省略縦断面図
【図６】座板直上のスラットのインターロック部が切欠き凹部に係止された状態を示す一部省略縦断面図
【図７】（ａ）は通常の全閉状態におけるシャッターカーテンの他の構成を示す要部横断面図（ｂ）は座板の持ち上げにより屈曲したインターロック部により塑性変形したカバー体を示す要部横断面図
【図８】さらに他の実施例を示す図であり、左図は、全閉状態を保持するシャッターカーテン下端部を示し、右図は、左図の状態から座板が持ち上げられた状態を示す図である。
【図９】さらに他の実施例を示す図であり、左図は、全閉状態を保持するシャッターカーテン下端部を示し、右図は、左図の状態から座板が持ち上げられた状態を示す図である。
【図１０】図９における各線に沿った断面図である。
【図１１】図９に示す実施例における内ガイドレールの構成を示す図である。
【図１２】図９に示す実施例におけるカバー体の構成を示す図である。
【図１３】さらに他の実施例を示す図であり、上図は、カバー体が回動した状態を示し、下図は、通常時のカバー体の姿態を示す図である。
【図１４】図１３に示すカバー体の詳細を示す図である。
【図１５】さらに他の実施例を示す図であり、（ａ）は通常の全閉状態におけるシャッターカーテンの要部横断面図（ｂ）は座板の持ち上げにより屈曲したインターロック部により回動したカバー体を示す要部横断面図
【図１６】さらに他の実施例を示す図であり、左図は、全閉状態を保持するシャッターカーテン下端部を示し、右図は、左図の状態から座板が持ち上げられた状態を示す図である。
【図１７】図１６における各線に沿った断面図であり、Ａ−Ａ断面図においては、図１０のものと同様である。
【図１８】さらに他の実施例を示す図であり、左図は、全閉状態を保持するシャッターカーテン下端部を示し、右図は、左図の状態から座板が持ち上げられた状態を示す図である。
【図１９】図１６に示す実施例におけるレール内引掛部材の構成を示す図である。
【符号の説明】
【００６０】
５      ガイドレール
７      前面
４      シャッターカーテン
８      案内溝
１      シャッター装置
１０    床面
７ｂ    屋内側面部
９      切欠き凹部
６      座板
３ｂ    スラット
３ｂ´  インターロック部
１１    カバー体
１２    検知部
９０    屋内側切欠き凹部
９００  上端縁（係止部）
９０Ａ  屋内側切欠き凹部
９１  屋外側切欠き凹部
９１Ａ  屋外側切欠き凹部
５０  内ガイドレール
１１０  カバー体
１２０  カバー体
５０´  引掛部材
【図１】
2005240533.tif 000003
【図２】
2005240533.tif 000004
【図３】
2005240533.tif 000005
【図４】
2005240533.tif 000006
【図５】
2005240533.tif 000007
【図６】
2005240533.tif 000008
【図７】
2005240533.tif 000009
【図８】
2005240533.tif 000010
【図９】
2005240533.tif 000011
【図１０】
2005240533.tif 000012
【図１１】
2005240533.tif 000013
【図１２】
2005240533.tif 000014
【図１３】
2005240533.tif 000015
【図１４】
2005240533.tif 000016
【図１５】
2005240533.tif 000017
【図１６】
2005240533.tif 000018
【図１７】
2005240533.tif 000019
【図１８】
2005240533.tif 000020
【図１９】
2005240533.tif 000021